(57)【特許請求の範囲】
【請求項１】
特定入賞口への入賞により可変表示装置を稼動させ、該可変表示装置の図柄表示欄に特定の条件が成立した場合に、可変入賞口を一定期間開成させ、入賞の容易な特別状態を発生させるようにしたパチンコ機において、
前記可変表示装置は複数の縦ラインと複数の横ラインとを有し、前記各縦ラインと前記各横ラインとを交差するように配置し、前記各縦ラインと前記各横ラインとの交点の中から一または二以上の点を選定するとともに、該選定された点に大当たり図柄を表示するとともに、前記複数の縦ラインおよび前記複数の横ラインの中から縦ラインと横ラインとをそれぞれ選定し、前記選定された縦ラインと横ラインとの交点に前記大当たり図柄が表示されている場合に、前記特定条件が成立するとともに、前記特別状態にする制御部を備えたことを特徴とするパチンコ機。
【請求項２】
前記特定入賞口に入賞した場合に、前記可変表示装置の稼動回数を入賞した玉数に対応して設定する稼動回数設定装置を備え、
前記稼動回数設定装置は、未稼動回数分の稼動権利を保留する権利保留部と、前記未稼動回数分の稼動権利を一つづつ実行する権利実行部と、前記未稼動回数から前記可変表示装置の稼動に使用された既稼動回数を減算し、かつ、前記未稼動回数に新たに前記特定入賞口へ入賞した回数を加算して新たな未稼動回数を算出する演算部と、該未稼動回数を表示する保留表示部とを有することを特徴とする請求項１記載のパチンコ機。
【発明の詳細な説明】
【０００１】
【産業上の利用分野】
本発明は、特定入賞口への入賞により可変表示装置を稼動させ、該可変表示装置の図柄表示欄に特定の条件が成立した場合に、可変入賞口を一定期間開成させ、入賞の容易な特別状態を発生させるようにしたパチンコ機に関する。
【０００２】
【従来の技術】
従来のパチンコ機としては、例えば、可変表示装置の表示図柄が特定の組み合わせになり、可変入賞装置が作動して通常より相対的に高い確率で入賞が行なえる特別状態が発生するようにしたいわゆるフィーバー機が存在している。
そして、可変表示装置が３つの表示図柄をそれぞれ回転表示するなどして、遊技者の興趣を高める配慮がなされている。
【０００３】
【発明が解決しようとする課題】
しかしながら、このような従来のパチンコ機では、各パチンコ機において、表示図柄が同ライン上に３つ揃ったときに、特別状態を発生するようにしており、特別状態になるまでの過程が大きく異なることがなく、ほぼ同じであり、例えば、新たに、別種のパチンコ機に代えて遊技しても、新たな興趣を呼び起こすことがなく、遊技性が高まらないという問題点があった。
本発明は、このような従来の問題点に着目してなされたもので、特別状態になるまでの過程を目新しくして、遊技者の興趣を呼び起こし、遊技性を高めることができるようにしたパチンコ機を提供することを目的としている。
【０００４】
【課題を解決するための手段】
かかる目的を達成するための本発明の要旨とするところは、
１  特定入賞口（１５）への入賞により可変表示装置（１８）を稼動させ、該可変表示装置（１８）の図柄表示欄に特定の条件が成立した場合に、可変入賞口を一定期間開成させ、入賞の容易な特別状態を発生させるようにしたパチンコ機において、
前記可変表示装置（１８）は複数の縦ライン（１８ａ）と同じく複数の横ライン（１８ｂ）とを有し、前記各縦ライン（１８ａ）と前記各横ライン（１８ｂ）とを交差するように配し、前記各縦ライン（１８ａ）と前記各横ライン（１８ｂ）との交点の中から一または二以上の点を選定するとともに、該選定された点に大当たり図柄（１８ｃ）を表示するとともに、前記複数の縦ライン（１８ａ）および前記複数の横ライン（１８ｂ）の中から縦ライン（１８ａ）と横ライン（１８ｂ）とをそれぞれ選定し、該選定された縦ライン（１８ａ）と横ライン（１８ｂ）との交点に前記大当たり図柄（１８ｃ）が表示されている場合に、前記特定条件が成立するとともに、前記特別状態にする制御部（１３）を備えたことを特徴とするパチンコ機に存する。
【０００５】
２  前記特定入賞口（１５）に入賞した場合に、前記可変表示装置（１８）の稼動回数を入賞した玉数に対応して設定する稼動回数設定装置（２０）を備え、
前記稼動回数設定装置（２０）は、未稼動回数分の稼動権利を保留する権利保留部（３０）と、前記未稼動回数分の稼動権利を一つづつ実行する権利実行部（４０）と、前記未稼動回数から前記可変表示装置（１８）の稼動に使用された既稼動回数を減算し、かつ、前記未稼動回数に新たに前記特定入賞口（１５）へ入賞した回数を加算して新たな未稼動回数を算出する演算部（５０）と、該未稼動回数を表示する保留表示部（７０）とを有することを特徴とする１項記載のパチンコ機に存する。
【０００６】
【作用】
特定入賞口（１５）へ入賞するまでの間は、図柄表示欄の大当たり図柄（１８ｃ）は、例えば可変表示しており、縦ライン（１８ａ）と横ライン（１８ｂ）とは、その両方のラインまたは一方のラインが可変している。縦ライン（１８ａ）および横ライン（１８ｂ）は、図柄表示欄の画面に表示されていなくてもよい。
特定入賞口（１５）へ入賞すると、制御部（１３）は、例えば、図柄表示欄の大当たり図柄（１８ｃ）を選定し、続いて縦ライン（１８ａ）および横ライン（１８ｂ）を選定する。
【０００７】
制御部（１３）は、大当たり図柄（１８ｃ）が表示されている場所が、選定された縦ライン（１８ａ）と横ライン（１８ｂ）との交点に一致している場合に、可変入賞口を入賞し易く開成させた特別状態にする。大当たり図柄（１８ｃ）が表示されている場所が、選定された縦ライン（１８ａ）と横ライン（１８ｂ）との交点に一致していない場合には、図柄合わせ遊技が終了する。
このようにして、特別状態になるまでの過程が目新しく、かつ、段階的に表示されるので、遊技者にとっては特別状態になる得るか否か徐々に興味が高まっていき、遊技の趣向を増すことができる。
【０００８】
前記特定入賞口（１５）に入賞した場合に、前記可変表示装置（１８）の稼動回数を入賞した玉数に対応して設定する稼動回数設定装置（２０）を備え、前記稼動回数設定装置（２０）は、未稼動回数分の稼動権利を保留する権利保留部（３０）と、前記未稼動回数分の稼動権利を一つづつ実行する権利実行部（４０）と、前記未稼動回数から前記可変表示装置（１８）の稼動に使用された既稼動回数を減算し、かつ、前記未稼動回数に新たに前記特定入賞口（１５）へ入賞した回数を加算して新たな未稼動回数を算出する演算部（５０）と、該未稼動回数を表示する保留表示部（７０）とを有するものでは、
特定入賞口（１５）に入賞すると、稼動回数設定装置（２０）が入賞した玉数に対応して可変表示装置（１８）の稼動回数を設定し、権利保留部（３０）は予定される未稼動回数分の稼動権利を保留する。権利実行部（４０）が稼動権利を実行していくと、演算部（５０）が未稼動回数から実行済の既稼動回数が減算される。また、同時に未稼動回数が保留表示部（７０）に表示され、遊技者が現時点での未稼動回数を視認することができ、その未稼動回数中に特別状態が成立するか否かに大きな興趣をもって遊技することができる。
【０００９】
【実施例】
以下、図面に基づき本発明の一実施例を説明する。
各図は本発明の一実施例を示している。
図１および図３に示すように、本実施例にかかるパチンコ機１０は、その盤面１２に特定入賞口１５が開設され、特定入賞口１５の上方には可変表示装置１８が設けられている。可変表示装置１８は、互いにそれぞれが交差し合う各々６つの縦ライン１８ａと横ライン１８ｂとを有してなる。各縦ライン１８ａと各横ライン１８ｂとの交点には、星印の大当たり図柄１８ｃがそれぞれ表示可能に構成されている。可変表示装置１８は、液晶パネルを用いた映像表示装置である。
【００１０】
合わせ遊技ごとに、縦ライン１８ａ、横ライン１８ｂおよび大当たり図柄１８ｃの選定をすべく、可変表示装置１８に制御信号を出力する後述の制御部１３が設けられている。縦ライン１８ａおよび横ライン１８ｂの選定は、そのラインの色調の変化や発光により表示される。大当たり図柄１８ｃは、各縦ライン１８ａと各横ライン１８ｂとの交点の中から一または二以上の点、例えば、図１に示すように９点が選定されるが、選定される点は、例えば、遊技中においては９点で画一的であってもよく、合わせ遊技ごとに、例えば、１点〜９点までランダムに選択されるように構成してもよい。
【００１１】
縦ライン１８ａのライン選定は、メモリに書き込まれた乱数表に基づき、演算部が行うが、選定過程および結果を表示すべく縦ライン選定遊技欄１９ａが可変表示装置１８の上方に設けられている。同じく、横ライン１８ｂのライン選定は、メモリに書き込まれた乱数表に基づき、演算部が行うが、選定過程および結果を表示すべく横ライン選定遊技欄１９ｂが可変表示装置１８の下方に設けられている。縦ライン選定遊技欄１９ａおよび横ライン選定遊技欄１９ｂは、サイコロ図柄が可変表示され、表示停止した際のサイコロの目の数でラインの番号を確定するように構成されている。
選定順番は、特定入賞口１５に入賞すると大当たり図柄１８ｃが選定され、次に縦ライン選定遊技欄１９ａでライン選定遊技が開始されて、縦ライン１８ａが選定され、最後に横ライン選定遊技欄１９ｂでライン選定遊技が開始されて、横ライン１８ｂが選定されるように成っている。実施例において、選定されるラインは各々１つであるが、二以上選定されても良い。
【００１２】
制御部１３は、特定入賞口１５への入賞により可変表示装置１８を駆動制御するものであるが、縦ライン１８ａ、横ライン１８ｂおよび大当たり図柄１８ｃは、前述したように確定していかなくてもよい。
実施例においては、制御部１３は、特定入賞口１５へ入賞すると、入賞信号を受けて、可変表示装置１８に制御信号を出力し、それにより、大当たり図柄１８ｃが選定され、縦ライン１８ａおよび横ライン１８ｂがそれぞれ選定され、選定された縦ライン１８ａと横ライン１８ｂとの交点に大当たり図柄１８ｃが表示されていた場合にフィーバ状態（可変入賞口がラウンド回数分だけ開閉動作を繰り返し、入賞の容易な特別状態）に成るよう構成されている。
【００１３】
稼動回数設定装置２０は、特定入賞口１５に入賞した場合に、該入賞した玉の玉数に対応して可変表示装置１８の数字表示欄１８ｂの稼働回数を主記憶部である権利保留部３０に書き込むもので、制御部１３が行っているが、専用の制御部を設けても良い。権利保留部３０に書き込まれる稼動回数は、最大保留数が「４」であり、稼働回数の数値は、比較器である権利実行部４０で最大保留数「４」と比較され、最大保留数「４」より大きい数値であると、権利無効部６０から制御信号が権利保留部３０に出力され、「５」以上の数値は書き込み不能に構成されている。本実施例においては、最大保留数は「４」としたが、これに限らず、「４」より大きくても「４」より小さくてもよい。
可変表示装置１８の上方には保留表示部７０が設けられている。保留表示部７０は４つのランプを有し、権利保留部３０に書き込まれた稼働回数が保留表示部７０のランプの点灯した数となって表示される。
【００１４】
権利実行部４０は比較器であり、権利保留部３０に書き込まれた稼働回数が「１」以上であれば、権利実行部４０は可変表示装置１８に制御信号を出力して、可変表示装置１８が可変表示する。また、制御部１３は、権利実行部４０が可変表示装置１８に制御信号を出力すると、演算部５０に制御信号を出力するもので、それにより、演算部５０は権利保留部３０に書き込まれた稼働回数から「１」を減算し、かつ、保留表示部７０はその点灯ランプを１つ滅灯する。このようにして、可変表示装置１８が可変表示していき、権利保留部３０に書き込まれた稼働回数が減算されていき、権利保留部３０に書き込まれた未稼働回数が「０」になると、権利実行部４０から可変表示装置１８への制御信号が出力停止される。
【００１５】
次に作用を説明する。
図４に示すように、ステップ１において、特定入賞口１５いわゆるチャッカーに入賞すると、ステップ２において、可変表示装置１８が稼働中か否かを判断する。可変表示装置１８が稼働中でないと判断されると、ステップ３において、制御部１３が可変表示装置１８に制御信号を出力する。制御部１３が可変表示装置１８に制御信号を出力される前においては、可変表示装置１８の縦ライン選定遊技欄１９ａが稼動していて、サイコロ図柄が可変表示されるとともに、可変表示装置１８の大当たり図柄１８ｃも可変表示されている。制御部１３が可変表示装置１８に制御信号を出力すると、各縦ライン１８ａと各横ライン１８ｂとの交点の中から、例えば図１に示すように、９点が選定され、選定された９点に大当り図柄１８ｃが表示される。
【００１６】
可変表示装置１８が稼働中であると判断されると、ステップ１２において、権利実行部４０が権利保留部３０に書き込まれた未稼働回数が「４」より大きいか否を判断する。図示省略した入賞玉センサは逐次制御部１３に入賞信号を出力し、入賞信号が出力されると、演算部５０が、入賞した玉の数に対応する新たな未稼働回数例えば「２」と元の未稼働回数例えば「２」とを加算し、加算された未稼働回数「４」が権利保留部３０に書き込まれる。また、保留表示部７０のランプが４つ点灯する。
未稼働回数が「４」より大きい場合、ステップ１３において、権利無効部６０は、未稼働回数の最大数値「４」を権利保留部３０に書き込み、「５」以上の未稼働回数に相当する権利が廃棄される。一方、未稼働回数が「４」以下である場合、ステップ１４において、権利保留部３０に書き込まれた未稼働回数分の権利が保留される。特定入賞口１５に玉が入賞していると、演算部５０が、入賞した玉の数に対応する新たな未稼働回数例えば「２」と元の未稼働回数例えば「２」とを加算し、加算された未稼働回数「４」が権利保留部３０に書き込まれる。また、保留表示部７０のランプが４つ点灯する。
【００１７】
権利が保留されると、ステップ１１において、演算部５０が実行されていない権利が保留されているか否かを判断し、権利が保留されていれば、ステップ２に戻り、再び可変表示装置１８が稼働中か否かが判断される。
ステップ４〜ステップ５において、縦ライン選定遊技欄１９ａのサイコロの目の数、例えば、図１に示すように、「３」が確定し、それに応じて、縦ライン１８ａが選定され、縦ライン１８ａの左から３番目の色調が変化して識別されるとともに、横ライン選定遊技欄１９ｂのサイコロ図柄が可変表示され、可変表示されるサイコロの目の数に応じて、横ライン１８ｂが選択稼動し、やがて、サイコロの目の数「１」が確定すると、横ライン１８ｂが選定され、横ライン１８ｂの上から１番目の色調が変化して識別される。また、可変表示装置１８が稼働すると、演算部５０が未稼働回数例えば「４」から「１」を減算し、減算した未稼働回数「３」を権利保留部３０に書き込む。
【００１８】
ステップ６において、演算部５０が、選定された縦ライン１８ａと同じく選定された横ライン１８ｂとの交点に大当たり図柄１８ｃが表示されているか否かを判断し、前記交点に大当たり図柄１８ｃが表示されている場合に、例えば、図１に示すように、左から３番目の縦ライン１８ａと上から１番目の横ライン１８ｂとの交点に大当たり図柄１８ｃが表示されている場合に、ステップ７において、制御部１３が可変入賞口の図示省略した駆動回路に制御信号を出力し、可変入賞口を一定期間開成させた入賞の容易な特別状態になる。特別状態終了後に、ステップ８において一単位の合わせ遊技が終了する。前記交点に大当たり図柄１８ｃが表示されていない場合には、直接にステップ８に移行し、一単位の合わせ遊技が終了する。
一単位の合わせ遊技が終了すると、ステップ９において、縦ライン選定遊技欄１９ａが稼動して、サイコロの目が再び可変表示される。続いて、ステップ１０において、可変表示装置１８の大当たり図柄１８ｃが再び可変表示される。次に、ステップ１１に移行し、演算部５０が未稼働回数が有るか否かを判断する。
【００１９】
なお、前記実施例においては、縦ライン１８ａおよび横ライン１８ｂをそれぞれ１つ選定した合わせ遊技を示したが、選定される数は、１つに限らず、各々複数ラインであってもよい。
また、各大当たり図柄１８ｃは、その特別状態の付与価値が同じものを示したが、大当たり図柄１８ｃ相互に付与価値を異ならせてもよい。この際には、付与価値の大きな大当たり図柄１８ｃは、例えば、白抜きの星印にて表示するようにしてもよい。
前記実施例によれば、権利無効部６０を設けたために、短時間で特定入賞口１５に連続的に入賞した際に、権利保留部３０への未稼動回数の無制限の増加を防止することができる。
【００２０】
【発明の効果】
本発明にかかるパチンコ機によれば、合わせ遊技において、大当たり図柄を表示し、次に、縦ラインを選定し、さらに横ラインを選定し、縦ラインと横ラインとの交点に大当たり図柄が表示されている場合に、特別状態にするようにしたので、特別状態になるまでの過程を目新しくして、遊技者の興趣を呼び起こし、遊技性を高めることができる。
【図面の簡単な説明】
【図１】本発明の一実施例を示すパチンコ機の要部拡大正面図である。
【図２】本発明の一実施例を示すパチンコ機の要部正面図である。
【図３】本発明の一実施例を示すパチンコ機の構成ブロック図である。
【図４】本発明の一実施例を示すパチンコ機のフローチャートである。
【符号の説明】
１０…パチンコ機
１２…盤面
１５…特定入賞口
１８…可変表示装置
１８ａ…縦ライン
１８ｂ…横ライン
１８ｃ…大当たり図柄
１９ａ…縦ライン選定遊技欄
１９ｂ…横ライン選定遊技欄
２０…稼動回数設定装置
３０…権利保留部
４０…権利実行部
５０…演算部
６０…権利無効部
７０…保留表示部
【図１】
0003712433.tif 000002
【図２】
0003712433.tif 000003
【図３】
0003712433.tif 000004
【図４】
0003712433.tif 000005